(57)【要約】【課題】ハーフ型ヘルメットのゴーグル固定装置の提供。【解決手段】本考案のハーフ型ヘルメットのゴーグル固定装置は、シェルの前面外側に設けたスライドレールと、スライドレールに係合させて設けるスライド体と、スライド体の下端に設けるゴーグルと、シェルの前面外側に設けてスライドレールとスライド体とゴーグルをその内側に覆い隠し、尚且つスライドレールに対応させる長形溝を備えるカバー体と、長形溝の上に設けてスライド体に連結させるプッシュボタンとを含み、プッシュボタンを動かすことにより、それに従動するゴーグルを上にあげたり被せたりして日除けや風除けの効果を達成する。【選択図】図１
0003174917.tif 000002
【実用新案登録請求の範囲】
【請求項１】
シェルの前面外側に設けたスライドレールと、
スライドレールに係合させて設けるスライド体と、
スライド体の下端に設けたゴーグルと、
シェルの前面外側に設け、スライドレールとスライド体とゴーグルをその内側に覆い隠し、尚且つスライドレールに対応させる長形溝を備えるカバー体と、
長形溝上に設け、スライド体と連結させるプッシュボタンと、を含み、
プッシュボタンを動かすことにより、それに従動するゴーグルを上に上げたり被せたりして日除けや風除けの効果を達成するハーフ型ヘルメットのゴーグル固定装置。
【請求項２】
前記プッシュボタン上には蓋板を設けることを特徴とする請求項１に記載のハーフ型ヘルメットのゴーグル固定装置。
【請求項３】
前記シェル両側には固定部材を用いて第二ゴーグルを装着することを特徴とする請求項１に記載のハーフ型ヘルメットのゴーグル固定装置。
【請求項４】
前記カバー体の外側底端にはホックを用いてつばを備えた第二ゴーグルを嵌着することを特徴とする請求項１に記載のハーフ型ヘルメットのゴーグル固定装置。
【考案の詳細な説明】
【技術分野】
【０００１】
本考案は、特に、シェル外側に設置するゴーグルがシェルの内部空間に影響を及ぼすことなく、尚且つシェルサイズを修正する必要がなくヘルメット全体の美観を保ち、要望に応じて日除けと風除けの切替を選択するか同時に兼ね備えるゴーグルとなるハーフ型ヘルメットのゴーグル固定装置に関する。
【背景技術】
【０００２】
公知のハーフ型ヘルメットは、日除けゴーグルと風除けゴーグルの二つのゴーグルを内側、外側に備える。その内の日除けゴーグルはシェル内部に取り付けなければならないが、次のような改善すべき欠点が存在する。
（１）ハーフ型ヘルメットのシェルの内部空間（即ち頭に被る空間）は元来制限されており、日除けゴーグルを装着した場合、空間は必ず縮小するため、取り付けを修正するか大きなサイズのシェルによってこれに対応しなければならない。しかし、シェルサイズを大きくすると、外観に影響を及ぼすことになり、ヘルメット全体の美観を大きく損なうことになる。
（２）これに対し、シェルサイズを大きくしない場合は、日除けゴーグルのサイズを縮小してこれに対応することになるが、シェル内部空間に影響を与え、ゴーグルサイズの縮小により日除け効果にも影響を及ぼし、尚且つ、風除けゴーグルに取替えての使用は不可能となる。
【０００３】
本考案の出願者は前述の問題に鑑み、考案者に対し改善すべく研究を依頼し、ついに本考案の誕生に至った。
【考案の概要】
【考案が解決しようとする課題】
【０００４】
本考案の主な目的は、シェル外側にゴーグルを設置するためのハーフ型ヘルメットのゴーグル固定装置を提供することにあり、これによって、シェルサイズの拡大をせず、内部空間に影響を及ぼさず、ヘルメット全体の美観を維持させることができる。
【０００５】
本考案のもう一つの主な目的は、要望に応じて日除けゴーグル或いは風除けゴーグルへの切替選択をするか、或いは二つを同時使用するハーフ型ヘルメットのゴーグル固定装置を提供することにある。
【課題を解決するための手段】
【０００６】
前述の目的を達成するために、本考案は、シェル前面の外側に設けたスライドレールと、スライドレールに係合させて設けるスライド体と、スライド体の下端に固着するゴーグルと、シェルの前面外側に設けてスライドレールとスライド体とゴーグルをその内側に覆い隠し、尚且つスライドレールに対応させる長形溝を備えるカバー体と、長形溝の上に設けてスライド体に連結させるプッシュボタンと、を含み、プッシュボタンを動かすことにより、それに従動するゴーグルを上に上げたり被せたりして日除けや風除けの効果を達成する。
【考案の効果】
【０００７】
本考案のハーフ型ヘルメットのゴーグル固定装置は、シェル外側に設置するゴーグルがシェルの内部空間に影響を及ぼすことなく、尚且つシェルサイズを修正する必要なくヘルメット全体の美観を保ち、要望に応じて日除けと風除けの切替を選択するか同時に兼ね備える効果を果たす。
【図面の簡単な説明】
【０００８】
【図１】本考案第一実施例の立体分解図である。
【図２】本考案第一実施例を上方にあげた時の断面図である。
【図３】本考案第一実施例の一部拡大断面図である。
【図４】本考案第一実施例を下方にさげた時の断面図である。
【図５】本考案第二実施例の立体分解図である。
【図６】本考案第二実施例中の固定部材の一部拡大断面図である。
【図７】本考案第二実施例を上方にあげた時の断面図である。
【図８】本考案第二実施例を下方にさげた時の断面図である。
【図９】本考案第三実施例の立体分解図である。
【図１０】本考案第三実施例の断面図である。
【考案を実施するための形態】
【０００９】
次に、本考案を更に理解して頂くために、図面を参照とした三つの好ましい実施例を挙げて本考案の構造の特徴及びその効果について詳述する。
【００１０】
まず、図１〜３に示すとおり、本考案の第一実施例は、スライドレール１１とスライド体１２とゴーグル１３とカバー体１４とプッシュボタン１６を含む。スライドレール１１はシェル１前面に設け、スライド体１２はスライドレール１１に係合させて設置し、ゴーグル１３は、スライド体１２の下端に固着し、日除けゴーグル或いは風除けゴーグルとなる。カバー体１４は、孤形突出状をなし、シェル１の前面外側に密着し、スライドレール１１とスライド体１２とゴーグル１３をその内側に覆い隠す。カバー体１４の中間にはスライドレール１１に対応する長形溝１５を備える。プッシュボタン１６は、長形溝１５の上に架設してスライド体１２に連結する。また、プッシュボタン１６上面には、プッシュボタン１６を動かすのを補助するための滑り止め縞を表面に備えた蓋板１７を被覆し、蓋板１７の内側に備えた突出棒１７１をプッシュボタン１６の凹孔内に嵌入させ、尚且つ底端を粘着剤でプッシュボタン１６に結合して上にあげることを可能にし、ボルトを用いてプッシュボタン１６とスライド体１２を螺着するか、分離させて取り外すことができる。
【００１１】
前記構成要素を組み合わせ、ゴーグル１３を上にあげてカバー体１４内部に隠された状態を図２に示す。スライド体１２はスライドレール１１の上端に位置し、プッシュボタン１６はカバー体１４の長形溝１５上端に位置する。この時、プッシュボタン１６を長形溝１５に沿って下方向にスライドさせると、それと同時にスライド体１２もスライドレール１１に沿って下方に移動し、図４に示すとおり、ゴーグル１３はカバー体１４から延伸した下部を覆う状態となる。それとは逆に、プッシュボタン１６を上方向にスライドするだけで、同時に従動されるスライド体１２は上方向に移動し、これによりゴーグル１３はカバー体１４内部に隠れ上に上がった状態となり、図２の状態に戻る。
【００１２】
前述の説明から理解できるように、本考案の実施例は少なくとも次の長所と効果を備え、公知技術に比べ遥かに進歩性を有するものである。
（１）ゴーグル１３をシェル１外側に設置するため、シェル１の内部空間が縮小されることはなく、シェル１の内部空間に影響を及ぼさないため、シェル１のサイズを拡大せずにヘルメット全体の美観を維持することができる。
（２）ゴーグル１３をシェル１の外側に設置するため、ゴーグル１３のサイズを適当に拡大し、日除け或いは風除け効果を達成することができる。
（３）ゴーグル１３は要望に応じて日除けゴーグル或いは風除けゴーグルのどちらかを選択し取り替えて使用できる。
【００１３】
図５、図６に示すとおり、本考案の第二実施例は、前述の第一実施例のスライドレール１１（カバー体１４内部に隠す。未図示）、スライド体１２、ゴーグル１３、カバー体１４、及びプッシュボタン１６を備える他、シェル１の両側に固定部材２で取り付けた第二ゴーグル２０を設ける。第二ゴーグル２０は風除けゴーグルであり、第一実施例のゴーグル１３は日除けゴーグルである。第二ゴーグル２０は、図７及び図８に示すとおり、固定部材２を用いて上にあげたり被せたりできる状態で定位させる。よって、第二実施例は、前記第一実施例と同様の効果を備える他、二つのゴーグルを兼ね備え、日除けと風除けの同時効果を果たす。
【００１４】
図９及び図１０に示すとおり、本考案の第三実施例は、前記第一実施例のスライドレール１１、スライド体１２、ゴーグル１３、カバー体１４、及びプッシュボタン１６を備える他、カバー体１４の外側底端にホックを設け、つば３を備えた第二ゴーグル３０を嵌設することも可能である。即ち、カバー体１４の外側底端に若干のオスホック３１を設け、つば３にはそれに対応するメスホック３２を設け、相互を嵌着し、つば３の両側に第二ゴーグル３０を装着し定位させる。第二ゴーグル３０は風除けゴーグルであり、使用者自身で上にあげたり被せたりして定位させることができる。よって、第三実施例は、第二実施例と同様の効果を達成する。
【００１５】
前述したとおり、本考案の実施例に開示した具体的な構造は公知技術にはないものであり、予期する目的と効果を達成し、新規性と進歩性を備えた考案である。
【符号の説明】
【００１６】
１    シェル
１１  スライドレール
１２  スライド体
１３  ゴーグル
１４  カバー体
１５  長形溝
１６  プッシュボタン
１７  蓋板
１７１  突出棒
２    固定部材
２０  第二ゴーグル
３０  第二ゴーグル
３    つば
３１  オスホック
３２  メスホック
【図１】
0003174917.tif 000003
【図２】
0003174917.tif 000004
【図３】
0003174917.tif 000005
【図４】
0003174917.tif 000006
【図５】
0003174917.tif 000007
【図６】
0003174917.tif 000008
【図７】
0003174917.tif 000009
【図８】
0003174917.tif 000010
【図９】
0003174917.tif 000011
【図１０】
0003174917.tif 000012